(57)【要約】【課題】口筒部の開口端をシール部材によって確実に封止して内層の内部への異物の混入を防止することができる積層剥離容器を提供する。【解決手段】外層１１Ａと内層１１Ｂとを有する容器本体１１を備え、外層１１Ａと内層１１Ｂとが剥離可能に積層された積層剥離容器において、容器本体１１に形成された口筒部１２には、内層１１Ｂが口筒部１２の開口端面に沿って配置された接合面部１８が形成され、この接合面部１８にシール部材２０が接合されることにより、口筒部１２が封止されていることを特徴とする。【選択図】図３
2008184213.tif 000002
【特許請求の範囲】
【請求項１】
外層と内層とを有する容器本体を備え、前記外層と前記内層とが剥離可能に積層された積層剥離容器において、
前記容器本体に形成された口筒部には、前記内層が前記口筒部の開口端面に沿って配置された接合面部が形成され、
この接合面部にシール部材が接合されることにより、前記口筒部が封止されていることを特徴とする積層剥離容器。
【請求項２】
請求項１に記載の積層剥離容器において、
前記外層は、スクイズ変形可能で復元自在な可撓性を有し、前記内層は、内圧の減少によりしぼみ変形する可撓性を有していることを特徴とする積層剥離容器。
【発明の詳細な説明】
【技術分野】
【０００１】
本発明は、外層と内層とが剥離可能に積層された積層剥離容器に関するものである。
【背景技術】
【０００２】
この種の積層剥離容器としては、例えば特許文献１に開示されているように、スクイズ変形可能で復元自在な可撓性を有する外層の内側に、内圧の減少によりしぼみ変形する可撓性に富む内層を剥離可能に積層して壜体状にブロー成形された容器本体を備え、この容器本体の口筒部のうち前記外層部分に外層と内層との間に外気を吸入する空気孔が設けられた構成が知られている。
【０００３】
このような積層剥離容器では、内層の内部に内容物が充填される。需要者においてこの内容物を使用する際には、容器本体の口筒部に、注出口を備えた注出キャップを装着し、外層をスクイズ変形させて内層を押圧することにより内層の内部の内容物を注出口から注出する。このように内容物を注出する過程で内層のしぼみ変形が進行する。そして、外層のスクイズ変形を解除すると、外層は元の形状に復元する一方、内層は外層の復元変形に追従せず、これにより外層と内層との間に負圧が発生し、空気孔から外層と内層との間に空気が吸引されて内層が外層から剥離する。
【特許文献１】特開２００３−２７６７１９号公報
【発明の開示】
【発明が解決しようとする課題】
【０００４】
ところで、このような積層剥離容器においては、一般に、容器本体の成形時、又は、容器本体内への内容物の充填時に、容器本体の口筒部の端部を切断する切断工程を有している。そして、内容物が充填された後に口筒部の開口端を封止用のシール部材などで閉塞し、内容物が充填された内層の内部に異物が混入しないように構成される場合がある。
ここで、切断工程により形成される切断面にはバリ等が存在して凹凸が生じているため、この切断面にシール部材を接合した場合には接合強度が低下してしまう。また、バリ等の凹凸により密封性が低下してしまうおそれがあった。
【０００５】
本発明は、前述した事情に鑑みてなされたものであって、口筒部の開口端をシール部材によって確実に封止して内層の内部への異物の混入を防止することができる積層剥離容器を提供することを目的とする。
【課題を解決するための手段】
【０００６】
この課題を解決するために、本発明の積層剥離容器は、外層と内層とを有する容器本体を備え、前記外層と前記内層とが剥離可能に積層された積層剥離容器において、前記容器本体に形成された口筒部には、前記内層が前記口筒部の開口端面に沿って配置された接合面部が形成され、この接合面部にシール部材が接合されることにより、前記口筒部が封止されていることを特徴としている。
【０００７】
この構成の積層剥離容器においては、容器本体の口筒部に、内層が口筒部の開口端面に沿って配置された接合面部が形成され、この接合面部にシール部材が接合されているので、容器本体の成形時又は内容物の充填時における切断工程により形成される切断面に接合することなく、内層とシール部材とが確実に接合されることになり、内層の内部を確実に密封することができる。また、シール部材と接合面部との接合面積が確保され、内層の密封性を向上させることができる。
【０００８】
ここで、前記外層を、スクイズ変形可能で復元自在な可撓性を有するものとし、前記内層を、内圧の減少によりしぼみ変形する可撓性を有するものとしてもよい。
この場合、外層をスクイズ変形させることで内層の内部に充填された内容物を注出することが可能な、いわゆるスクイズ容器を構成することができる。
【発明の効果】
【０００９】
本発明によれば、口筒部の開口端面に沿って内層が配置された接合面部にシール部材が接合されることにより、内層の内部を確実に密封することができる。
【発明を実施するための最良の形態】
【００１０】
以下に、本発明の第１の実施形態である積層剥離容器について添付した図面を参照して説明する。
この積層剥離容器は、スクイズ変形可能で復元自在な可撓性を有する外層１１Ａ及び内圧の減少によりしぼみ変形する可撓性に富む内層１１Ｂが剥離可能に積層された容器本体１１と、後述する口筒部１２を封止するためのシール部材２０とを備えている。
【００１１】
容器本体１１には、中心軸線Ｌに沿って延びる口筒部１２が形成されている。
この口筒部１２は、多段円筒状をなしており、大径部１３と、大径部１３よりも一段小径とされて中心軸線Ｌに沿って延びる円筒状をなす定径部１４と、この定径部１４の上端に、径方向内方に向けて後退した縮径部１５を介して連設されたフランジ部１６と、を備えている。
【００１２】
定径部１４には、その外周面に雄ネジ１７が形成されている。この雄ネジ１７は、定径部１４のうち外層１１Ａで構成された部分（以下、外層定径部１４Ａ）の外周面に形成されており、外層定径部１４Ａの内周面は凹凸のない滑らかな円筒面とされ、この内周面に内層定径部１４Ｂが積層されている。
また、外層定径部１４Ａには、空気孔（図示なし）が形成されており、外層１１Ａと内層１１Ｂとの間に空気を取り入れることが可能な構成とされている。
【００１３】
フランジ部１６は、縮径部１５の上端から口筒部１２の径方向外方に向けて、本実施形態では中心軸線Ｌに直交する方向に向けて延設されている。このフランジ部１６においては、図３に示すように、内層１１Ｂがフランジ部１６の延在方向に沿って延びるように配置され、口筒部１２の開口端面（フランジ部１６）に内層１１Ｂが露呈された接合面部１８が画成されている。
【００１４】
そして、この口筒部１２の開口端面（フランジ部１６）にシール部材２０が配設されている。ここで、シール部材２０は、フランジ部２０のうち内層１１Ｂが露呈された接合面部１８に接合されており、内層１１Ｂの内部がシール部材２０によって密封されている。
なお、本実施形態においては、シール部材２０は、接合層とバリア性を備えたアルミ層とが積層された構造とされている。
【００１５】
この容器本体１１は、共押出し成形した二層構造のパリソンをブロー成形することにより成形され、例えば、外層１１Ａはポリエチレン樹脂製とされるとともに、内層１１Ｂはポリエチレン樹脂に対して相溶性のないポリアミド系合成樹脂製とされている。
ここで、ブロー成形の際には、図２に示すように、フランジ部１６の径方向外方端から中心軸線Ｌに沿って延びる補助成形部Ｓが形成されており、この補助成形部Ｓを切断線Ｃで切断することで接合面部１８を備えたフランジ部１６が形成されることになる。
【００１６】
このような構成とされた積層剥離容器は、充填工程において内容物が内層１１Ｂ内部に充填された後に、口筒部１２の開口端面（フランジ部１６）にシール部材２０が接合されるとともに、口筒部１２にキャップ材（図示なし）が被着されて需要者に提供される。
【００１７】
需要者が内容物を使用する際には、キャップ材（図示なし）を外してシール部材２０を剥離し、口筒部１２に注出口を備えた注出キャップ（図示なし）を螺着し、外層１１Ａをスクイズ変形して内層１１Ｂを押圧することにより、内層１１Ｂ内に充填された内容物を注出口から注出する。このように内容物を注出する過程で内層１１Ｂのしぼみ変形が進行する。
そして、外層１１Ａのスクイズ変形を解除すると、外層１１Ａは元の形状に復元する一方、内層１１Ｂは外層１１Ａの復元変形に追従せず、これにより外層１１Ａと内層１１Ｂとの間に負圧が発生し、口筒部１２に形成された空気孔（図示なし）から外層１１Ａと内層１１Ｂとの間に空気が吸引されて内層１１Ｂが外層１１Ａから離間するようになっている。
なお、注出口を備えたキャップ材を使用してもよいし、シール部材２０を剥離せず、直接穿孔して使用しても良い。
【００１８】
このような構成とされた本実施形態である積層剥離容器によれば、容器本体１１の口筒部１２に、内層１１Ｂが口筒部１２の開口端面に沿って径方向外方に向けて配置された接合面部１８が形成され、この接合面部１８にシール部材２０が接合されているので、内層１１Ｂがシール部材によって確実に密封されることになり、内層１１Ｂの内部への異物の混入を確実に防止できる。また、シール部材２０と接合面部１８との接合面積が確保され、内層１１Ｂの密封性を向上させることができる。
また、シール部材２０を、補助成形部Ｓを切断線Ｃで切断したことにより形成された切断面に接合する必要がないので、切断面のバリ等による密封性の低下を防止することができる。
【００１９】
次に、本発明の第２の実施形態である積層剥離容器について添付した図面を参照して説明する。なお、第１の実施形態と同一の構成要素には、同一の符号を付して詳細な説明を省略する。
この第２の実施形態である積層剥離容器は、図４に示すように、容器本体１１の中心軸線Ｌに沿って延びる口筒部１２を有し、この口筒部１２は、多段円筒状をなしており、大径部１３と、大径部１３よりも一段小径とされて中心軸線Ｌに沿って延びる円筒状をなす定径部１４と、この定径部１４の上端に径方向内方に向けて後退した縮径部１５を介して連設された拡径部１９と、を備えている。つまり、第１の実施形態におけるフランジ部１６の代わりに拡径部１９が設けられているのである。
【００２０】
拡径部１９は、中心軸線Ｌ方向上方に向かうにしたがい漸次径方向外方へと延びるように構成されている。この容器本体１１のブロー成形の際には、図５に示すように、拡径部１９の径方向外方端からこの拡径部１９の延在方向に沿って延びる補助成形部Ｓが形成されており、この補助成形部Ｓを中心軸線Ｌに直交する切断線Ｃで切断することで拡径部１９が形成されることになる。
【００２１】
このように成形された容器本体１１にシール部材２０を配設する際には、拡径部１９を径方向外方及び中心軸線Ｌ方向下方に向けて（図５に示す矢印Ｘ方向に向けて）押圧して、拡径部１９を中心軸線Ｌに対して直交する方向に変形させる。これにより、拡径部１９に位置する内層１１Ｂが口筒部１２の開口端面に沿って延びるように配設され、前記接合面部１８が画成される。そして、この接合面部１８にシール部材２０を接合し、内層１１Ｂを密封する。ここで、シール部材２０の外周端部分は口筒部１２から離間した状態で接合されることになる。
なお、本実施形態においては、シール部材２０は、接合層とバリア性を備えたアルミ層とが積層された構造とされている。
【００２２】
このような構成とされた積層剥離容器は、充填工程において内容物が内層１１Ｂ内部に充填された後に、口筒部１２の開口端面にシール部材２０が接合されるとともに、口筒部１２にキャップ材（図示なし）が被着されて需要者に提供される。
【００２３】
このような構成とされた本実施形態である積層剥離容器によれば、シール部材２０の外周端部分と口筒部１２とが離間した状態でシール部材２０が接合されているので、この外周端部分を把持してシール部材２０を剥離することにより、シール部材２０の剥離を簡単に行うことができる。
また、キャップ材を被着しない状態では、拡径部１９が中心軸線Ｌ方向上方に向かうにしたがい漸次径方向外方へと延びるような形態を維持する。したがって、シール部材２０を剥離した後にキャップ材を被着した際に、良好な密封性を得ることができる。
【００２４】
以上、本発明の実施形態である積層剥離容器について説明したが、本発明の技術的範囲はこれに限定されることはなく、本発明の技術的思想を逸脱しない範囲で適宜変更可能である。
例えば、本実施形態においては、口筒部の外周面に雄ネジを形成したもので説明したが、これに限定されることはなく、図示しないキャップ材を被着するための係合凸部や係合凹部が形成されたものであってもよい。
さらに、口筒部の形状は、本実施形態に限定されることはなく、適宜設計することができる。ただし、口筒部の開口端面に、内層が径方向外方に延びるように配置された接合面部を設ける必要がある。
また、シール部材の構成や、内層、外層の材質については、本実施形態に限定されることはなく、内容物等に応じて適宜選択することが好ましい。
【産業上の利用可能性】
【００２５】
口筒部の開口端をシール部材によって確実に封止して内層の内部への異物の混入を防止することができる積層剥離容器を提供することができる。
【図面の簡単な説明】
【００２６】
【図１】本発明の第１の実施形態である積層剥離容器における容器本体の側面部分断面図である。
【図２】図１に示す容器本体をブロー成形した際の口筒部周辺の拡大断面図である。
【図３】本発明の第１の実施形態である積層剥離容器における口筒部の拡大断面図である。
【図４】本発明の第２の実施形態である積層剥離容器における容器本体の側面部分断面図である。
【図５】図４に示す容器本体をブロー成形した際の口筒部周辺の拡大断面図である。
【図６】本発明の第２の実施形態である積層剥離容器における口筒部の拡大断面図である。
【符号の説明】
【００２７】
１１  容器本体
１１Ａ  外層
１１Ｂ  内層
１２  口筒部
１８  接合面部
２０  シール部材
【図１】
2008184213.tif 000003
【図２】
2008184213.tif 000004
【図３】
2008184213.tif 000005
【図４】
2008184213.tif 000006
【図５】
2008184213.tif 000007
【図６】
2008184213.tif 000008